(57)【特許請求の範囲】
【請求項１】
平面視した際に複数個のマイクロレンズが規則的に配置されたマイクロレンズ層を準備するマイクロレンズ層準備工程と、
複数個の構成単位が規則的に配置された繰り返し模様を備えた装飾層を、前記マイクロレンズ層を平面視した際に前記マイクロレンズ層の前記マイクロレンズと前記装飾層の前記繰り返し模様とが少なくとも一部において重なり合うように、前記マイクロレンズ層のレンズ面とは反対側の面側に配する装飾層設置工程とを有し、
前記時計用文字板を平面視した際の隣り合う前記マイクロレンズの中心を直線で結んだ場合に、当該直線によって複数個の正三角形が規則的に配置されたものとなり、
前記時計用文字板を平面視した際の隣り合う前記繰り返し模様の中心を直線で結んだ場合に、当該直線によって複数個の正三角形ではない二等辺三角形が規則的に配置されたものとなることを特徴とする時計用文字板の製造方法。
【請求項２】
平面視した際に複数個のマイクロレンズが規則的に配置されたマイクロレンズ層を準備するマイクロレンズ層準備工程と、
複数個の構成単位が規則的に配置された繰り返し模様を備えた装飾層を、前記マイクロレンズ層を平面視した際に前記マイクロレンズ層の前記マイクロレンズと前記装飾層の前記繰り返し模様とが少なくとも一部において重なり合うように、前記マイクロレンズ層のレンズ面とは反対側の面側に配する装飾層設置工程とを有し、
前記時計用文字板を平面視した際の隣り合う前記マイクロレンズの中心を直線で結んだ場合に、当該直線によって複数個の正方形が規則的に配置されたものとなり、
前記時計用文字板を平面視した際の隣り合う前記繰り返し模様の中心を直線で結んだ場合に、当該直線によって複数個の正方形ではない長方形が規則的に配置されたものとなることを特徴とする時計用文字板の製造方法。
【請求項３】
前記時計用文字板における前記マイクロレンズのレンズ面から前記装飾層の表面までの距離が１００μｍ以上１０００μｍ以下である請求項１または２に記載の時計用文字板の製造方法。
【請求項４】
前記マイクロレンズの焦点距離が１００μｍ以上１０００μｍ以下である請求項１ないし３のいずれかに記載の時計用文字板の製造方法。
【請求項５】
前記マイクロレンズのピッチが５０μｍ以上５００μｍ以下である請求項１ないし４のいずれかに記載の時計用文字板の製造方法。
【請求項６】
前記繰り返し模様の前記構成単位のピッチが４０μｍ以上５５０μｍ以下である請求項１ないし５のいずれかに記載の時計用文字板の製造方法。
【請求項７】
前記マイクロレンズの焦点距離をＬ０［μｍ］、前記時計用文字板における前記マイクロレンズのレンズ面から前記装飾層の表面までの距離をＬ１［μｍ］としたとき、０．５≦Ｌ１／Ｌ０≦１．５の関係を満足する請求項１ないし６のいずれかに記載の時計用文字板の製造方法。
【請求項８】
前記マイクロレンズのピッチをＰＭＬ［μｍ］、前記繰り返し模様の構成単位のピッチをＰＲ［μｍ］としたとき、０．５≦ＰＲ／ＰＭＬ≦１．５の関係を満足する請求項１ないし７のいずれかに記載の時計用文字板の製造方法。
【請求項９】
前記時計用文字板を平面視した際に、時字が設けられていない部分の少なくとも一部に、前記装飾層の前記繰り返し模様および前記マイクロレンズ層の前記マイクロレンズが設けられており、時字が設けられている部分には、前記装飾層の前記繰り返し模様および／または前記マイクロレンズ層の前記マイクロレンズが設けられていない請求項１ないし８のいずれかに記載の時計用文字板の製造方法。
【発明の詳細な説明】
【技術分野】
【０００１】
本発明は、時計用文字板の製造方法に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきたが、従来の時計用文字板では、表現することのできる外観の範囲が限られており、需要者のニーズに十分に対応することができなかった。
【０００３】
例えば、立体感のある外観を呈する文字板を備えた時計に対するニーズは大きく、模様等のパターンと透明塗膜とを交互に複数形成して積層化した時計用文字板が提案されている（特許文献１参照）。
しかしながら、このような時計用文字板では、時計用文字板の厚み以上の立体感を表現することができず、また、厚さの制限から、時計用文字板自体の厚さを極端に大きくすることも困難であるため、上記のようなニーズに十分に応えることができなかった。特に、腕時計のような携帯時計に適用される文字板では、特に、時計全体としての厚みについての制約が大きく、立体感に溢れた外観の実現が極めて困難であった。
また、従来においては、異なる立体感を表現した複数種の時計用文字板を製造するためには、異なる成形型を準備する等の必要があり、多品種生産には向かないという問題があった。
【先行技術文献】
【特許文献】
【０００４】
【特許文献１】特開平２−３０６１８８号公報
【発明の概要】
【発明が解決しようとする課題】
【０００５】
本発明の目的は、立体感に溢れる外観を呈する時計用文字板を製造することができる方法、特に、異なる外観を呈する複数種の時計用文字板を効率よく製造することができる製造方法を提供することにある。
【課題を解決するための手段】
【０００６】
このような目的は下記の本発明により達成される。
本発明の時計用文字板の製造方法は、平面視した際に複数個のマイクロレンズが規則的に配置されたマイクロレンズ層を準備するマイクロレンズ層準備工程と、
複数個の構成単位が規則的に配置された繰り返し模様を備えた装飾層を、前記マイクロレンズ層を平面視した際に前記マイクロレンズ層の前記マイクロレンズと前記装飾層の前記繰り返し模様とが少なくとも一部において重なり合うように、前記マイクロレンズ層のレンズ面とは反対側の面側に配する装飾層設置工程とを有し、
前記時計用文字板を平面視した際の隣り合う前記マイクロレンズの中心を直線で結んだ場合に、当該直線によって複数個の正三角形が規則的に配置されたものとなり、
前記時計用文字板を平面視した際の隣り合う前記繰り返し模様の中心を直線で結んだ場合に、当該直線によって複数個の正三角形ではない二等辺三角形が規則的に配置されたものとなることを特徴とする。
これにより、立体感に溢れる外観を呈する時計用文字板を製造することができる方法、特に、異なる外観を呈する複数種の時計用文字板を効率よく製造することができる製造方法を提供することができる。また、マイクロレンズ層と装飾層との相対的な角度の調整により、時計用文字板の外観の調整を、より好適に行うことができる。
【０００７】
本発明の時計用文字板の製造方法は、平面視した際に複数個のマイクロレンズが規則的に配置されたマイクロレンズ層を準備するマイクロレンズ層準備工程と、
複数個の構成単位が規則的に配置された繰り返し模様を備えた装飾層を、前記マイクロレンズ層を平面視した際に前記マイクロレンズ層の前記マイクロレンズと前記装飾層の前記繰り返し模様とが少なくとも一部において重なり合うように、前記マイクロレンズ層のレンズ面とは反対側の面側に配する装飾層設置工程とを有し、
前記時計用文字板を平面視した際の隣り合う前記マイクロレンズの中心を直線で結んだ場合に、当該直線によって複数個の正方形が規則的に配置されたものとなり、
前記時計用文字板を平面視した際の隣り合う前記繰り返し模様の中心を直線で結んだ場合に、当該直線によって複数個の正方形ではない長方形が規則的に配置されたものとなることを特徴とする。
これにより、立体感に溢れる外観を呈する時計用文字板を製造することができる方法、特に、異なる外観を呈する複数種の時計用文字板を効率よく製造することができる製造方法を提供することができる。また、マイクロレンズ層と装飾層との相対的な角度の調整により、時計用文字板の外観の調整を、より好適に行うことができる。
【０００９】
本発明の時計用文字板の製造方法では、前記時計用文字板における前記マイクロレンズのレンズ面から前記装飾層の表面までの距離が１００μｍ以上１０００μｍ以下であることが好ましい。
これにより、時計用文字板の外観をより立体感に溢れるものとすることができ、時計用文字板の美的外観を特に優れたものとすることができる。また、マイクロレンズ層と装飾層との相対的な角度の調整により、時計用文字板の外観の調整を、より好適に行うことができる。
【００１０】
本発明の時計用文字板の製造方法では、前記マイクロレンズの焦点距離が１００μｍ以上１０００μｍ以下であることが好ましい。
これにより、時計用文字板の美的外観を特に優れたものとすることができる。また、マイクロレンズ層と装飾層との相対的な角度の調整により、時計用文字板の外観の調整を、より好適に行うことができる。
【００１１】
本発明の時計用文字板の製造方法では、前記マイクロレンズのピッチが５０μｍ以上５００μｍ以下であることが好ましい。
これにより、時計用文字板の美的外観を特に優れたものとすることができる。また、マイクロレンズ層と装飾層との相対的な角度の調整により、時計用文字板の外観の調整を、より好適に行うことができる。
【００１２】
本発明の時計用文字板の製造方法では、前記繰り返し模様の前記構成単位のピッチが４０μｍ以上５５０μｍ以下であることが好ましい。
これにより、時計用文字板の美的外観を特に優れたものとすることができる。また、マイクロレンズ層と装飾層との相対的な角度の調整により、時計用文字板の外観の調整を、より好適に行うことができる。
【００１３】
本発明の時計用文字板の製造方法では、前記マイクロレンズの焦点距離をＬ０［μｍ］、前記時計用文字板における前記マイクロレンズのレンズ面から前記装飾層の表面までの距離をＬ１［μｍ］としたとき、０．５≦Ｌ１／Ｌ０≦１．５の関係を満足することが好ましい。
これにより、時計用文字板の外観をより立体感に溢れるものとすることができ、時計用文字板の美的外観を特に優れたものとすることができる。また、マイクロレンズ層と装飾層との相対的な角度の調整により、時計用文字板の外観の調整を、より好適に行うことができる。
【００１４】
本発明の時計用文字板の製造方法では、前記マイクロレンズのピッチをＰＭＬ［μｍ］、前記繰り返し模様の構成単位のピッチをＰＲ［μｍ］としたとき、０．５≦ＰＲ／ＰＭＬ≦１．５の関係を満足することが好ましい。
これにより、時計用文字板の外観をより立体感に溢れるものとすることができ、時計用文字板の美的外観を特に優れたものとすることができる。また、マイクロレンズ層と装飾層との相対的な角度の調整により、時計用文字板の外観の調整を、より好適に行うことができる。
【００１５】
本発明の時計用文字板の製造方法では、前記時計用文字板を平面視した際に、時字が設けられていない部分の少なくとも一部に、前記装飾層の前記繰り返し模様および前記マイクロレンズ層の前記マイクロレンズが設けられており、時字が設けられている部分には、前記装飾層の前記繰り返し模様および／または前記マイクロレンズ層の前記マイクロレンズが設けられていないことが好ましい。
これにより、時刻の視認性を特に優れたものとしつつ、時計用文字板の外観を特に優れたものとすることができ、実用品としての実用性と、装飾品としての美的外観とを、より高いレベルで両立することができる。
【００１６】
本発明によれば、立体感に溢れる外観を呈する時計用文字板を製造することができる方法、特に、異なる外観を呈する複数種の時計用文字板を効率よく製造することができる製造方法を提供することができる。
【図面の簡単な説明】
【００１７】
【図１】本発明の時計用文字板の製造方法の好適な実施形態を示す断面図である。
【図２】本発明の時計用文字板の製造の用いることのできるマイクロレンズ層（マイクロレンズ基板）の一例を示す平面図である。
【図３】本発明の時計用文字板の製造の用いることのできるマイクロレンズ層（マイクロレンズ基板）の他の一例を示す平面図である。
【図４】装飾層における繰り返し模様の配置の一例を示す平面図である。
【図５】装飾層における繰り返し模様の配置の他の一例を示す平面図である。
【図６】マイクロレンズ層を構成するマイクロレンズと装飾層を構成する繰り返し模様との相対的な角度を説明するための平面図である。
【図７】マイクロレンズ層を構成するマイクロレンズと装飾層を構成する繰り返し模様との相対的な角度を説明するための平面図である。
【図８】マイクロレンズ層を構成するマイクロレンズと装飾層を構成する繰り返し模様との相対的な角度を説明するための平面図である。
【図９】マイクロレンズ層を構成するマイクロレンズと装飾層を構成する繰り返し模様との相対的な角度の調整による時計用文字板の外観の変化を示すための時計用文字板の外観を示す平面図である。特に、図６のような配置とした場合の時計用文字板の外観を示す平面図である。
【図１０】マイクロレンズ層を構成するマイクロレンズと装飾層を構成する繰り返し模様との相対的な角度の調整による時計用文字板の外観の変化を示すための時計用文字板の外観を示す平面図である。特に、図７のような配置とした場合の時計用文字板の外観を示す平面図である。
【図１１】マイクロレンズ層を構成するマイクロレンズと装飾層を構成する繰り返し模様との相対的な角度の調整による時計用文字板の外観の変化を示すための時計用文字板の外観を示す平面図である。特に、図８のような配置とした場合の時計用文字板の外観を示す平面図である。
【図１２】本発明の時計（携帯時計）の好適な実施形態を示す部分断面図である。
【発明を実施するための形態】
【００１８】
以下、本発明の好適な実施形態について、添付図面を参照しつつ説明する。
まず、本発明の時計用文字板の製造方法の好適な実施形態について説明する。
＜時計用文字板の製造方法＞
図１は、本発明の時計用文字板の製造方法の好適な実施形態を示す断面図、図２は、本発明の時計用文字板の製造の用いることのできるマイクロレンズ層（マイクロレンズ基板）の一例を示す平面図、図３は、本発明の時計用文字板の製造の用いることのできるマイクロレンズ層（マイクロレンズ基板）の他の一例を示す平面図、図４は、装飾層における繰り返し模様の配置の一例を示す平面図、図５は、装飾層における繰り返し模様の配置の他の一例を示す平面図である。なお、本明細書で参照する図面は、構成の一部を誇張して示したものであり、実際の寸法等を正確に反映したものではない。
【００１９】
図１に示すように、本発明の時計用文字板の製造方法は、平面視した際に複数個のマイクロレンズ１１１が規則的に配置されたマイクロレンズ層（マイクロレンズ基板）１１を準備するマイクロレンズ層準備工程（１ａ）と、複数個の構成単位が規則的に配置された繰り返し模様１２１を備えた装飾層１２を、マイクロレンズ層１１のレンズ面１１１１とは反対側の面１１１２側に配する装飾層設置工程（１ｂ）とを有する。
【００２０】
≪マイクロレンズ層準備工程≫
上記のように、マイクロレンズ層１１は、平面視した際に複数個のマイクロレンズ１１１が規則的に配置されたものである。
図２に示す構成では、時計用文字板１を平面視した際の隣り合うマイクロレンズ１１１の中心を直線で結んだ場合に、当該直線によって複数個の三角形が規則的に配置されたものとなるように、複数個のマイクロレンズ１１１が配置されている。これにより、時計用文字板１の美的外観を特に優れたものとすることができる。
特に、図２に示す構成では、前記三角形が正三角形である。これにより、時計用文字板１の美的外観をさらに優れたものとすることができる。また、後に詳述する装飾層設置工程におけるマイクロレンズ層１１と装飾層１２との相対的な角度の調整により、時計用文字板１の外観の調整を、より好適に行うことができる。
【００２１】
また、図３に示す構成では、時計用文字板１を平面視した際の隣り合うマイクロレンズ１１１の中心を直線で結んだ場合に、当該直線によって複数個の四角形が規則的に配置されたものとなるように、複数個のマイクロレンズ１１１が配置されている。これにより、時計用文字板１の美的外観を特に優れたものとすることができる。
特に、図３に示す構成では、前記四角形が正方形である。これにより、時計用文字板１の美的外観をさらに優れたものとすることができる。また、後に詳述する装飾層設置工程におけるマイクロレンズ層１１と装飾層１２との相対的な角度の調整により、時計用文字板１の外観の調整を、より好適に行うことができる。
【００２２】
マイクロレンズ１１１の焦点距離は、１００μｍ以上１０００μｍ以下であるのが好ましく、１５０μｍ以上５００μｍ以下であるのがより好ましい。これにより、時計用文字板１の美的外観を特に優れたものとすることができる。また、後に詳述する装飾層設置工程におけるマイクロレンズ層１１と装飾層１２との相対的な角度の調整により、時計用文字板１の外観の調整を、より好適に行うことができる。なお、焦点は、図中にＰで示した。
【００２３】
マイクロレンズ１１１のピッチ（時計用文字板１を平面視した際のピッチ）ＰＭＬは、５０μｍ以上５００μｍ以下であるのが好ましく、６０μｍ以上３００μｍ以下であるのがより好ましい。これにより、時計用文字板１の美的外観を特に優れたものとすることができる。また、後に詳述する装飾層設置工程におけるマイクロレンズ層１１と装飾層１２との相対的な角度の調整により、時計用文字板１の外観の調整を、より好適に行うことができる。なお、各方向で、隣り合うマイクロレンズ１１１間のピッチが異なる場合、少なくとも一方向でのピッチが上記の条件を満足するのが好ましく、全ての方向についてのピッチが上記の条件を満足するのがより好ましい。
【００２４】
マイクロレンズ層１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）に対する、当該ソーラーセルの光源側の面に測定対象である部材（または時計用文字板）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００２５】
マイクロレンズ層１１を構成する材料としては、例えば、各種プラスチック材料、各種ガラス材料等が挙げられるが、マイクロレンズ層１１は、主としてプラスチック材料で構成されたものであるのが好ましい。プラスチック材料は、一般に、成形性（成形の自由度）に優れており、種々の形状の時計用文字板１の製造に好適に適用することができる。また、マイクロレンズ層１１がプラスチック材料で構成されたものであると、時計用文字板１の製造コスト低減に有利である。また、プラスチック材料は、一般に、光（可視光）の透過性に優れるとともに、電波の透過性にも優れているため、マイクロレンズ層１１がプラスチック材料で構成されたものであると、時計用文字板１を、ソーラー時計（太陽電池を備えた時計）、電波時計に好適に適用することができる。以下の説明では、マイクロレンズ層１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２６】
マイクロレンズ層１１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、マイクロレンズ層１１は、主として、ポリカーボネートで構成されたものであるのが好ましい。これにより、マイクロレンズ１１１をより透明性の高いものとすることができるとともに、マイクロレンズ１１１の屈折率を最適なものとすることができるため、時計用文字板１全体としての美的外観を特に優れたものとすることができる。また、時計用文字板１全体としての強度を特に優れたものとすることができるとともに、マイクロレンズ１１１の寸法精度をより高いものとすることができ、また、マイクロレンズ１１１の不本意な変形等をより確実に防止することができるため、時計用文字板１の信頼性を特に優れたものとすることができる。また、マイクロレンズ層１１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ１１１の形成をより好適に行うことができる。
【００２７】
なお、マイクロレンズ層１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層１１が着色剤を含む材料で構成されたものであると、時計用文字板１の色のバリエーションを広げることができる。
【００２８】
マイクロレンズ層１１は、各部位でその組成が実質的に均一な組成を有するものであってもよいし、部位によって組成の異なるものであってもよい。
マイクロレンズ層１１の屈折率（絶対屈折率）は、１．５００以上１．６５０以下であるのが好ましく、１．５５０以上１．６００以下であるのがより好ましい。これにより、時計用文字板１の美的外観を特に優れたものとすることができる。
【００２９】
なお、図示の構成では、マイクロレンズ１１１は、略半球状をなすものであり、平面視した際の形状が円形をなす球面レンズであるが、マイクロレンズ１１１の形状は、特に限定されるものでなく、例えば、平面視した際の形状が俵型形状（略楕円形状、長円形状）や、略三角形状、略四角形状、略六角形状等をなすものであってもよい。
また、マイクロレンズ基板（マイクロレンズ層）１１の形状、大きさは、特に限定されず、通常、製造すべき時計用文字板１の形状、大きさに基づいて決定される。なお、図示の構成では、マイクロレンズ基板１１は、平板状をなすものであるが、例えば、湾曲板状等をなすものであってもよい。
【００３０】
また、マイクロレンズ基板１１は、いかなる方法で成形されたものであってもよいが、マイクロレンズ基板１１の製造方法としては、例えば、圧縮成形、押出成形、射出成形、光造形、２Ｐ法等が挙げられる。また、マイクロレンズ基板１１は、例えば、マイクロレンズ１１１を有していない板状部材に、インクジェット法等の液滴吐出法により、マイクロレンズ１１１の構成材料を含む液状材料を吐出することにより、マイクロレンズ１１１を形成して得られたものであってもよい。また、マイクロレンズ１１１は、オフセット印刷、グラビア印刷等の各種印刷法を用いて形成されたものであってもよい。印刷法を用いてマイクロレンズを形成した場合、マイクロレンズ基板１１の生産コストを抑制することができる点で有利である。なお、本発明では、マイクロレンズ基板が有するマイクロレンズのうち少なくとも一部は平面視した際の形状が円形状のものでなくてもよく、例えば、楕円形状をなすものであってもよい。また、複数のマイクロレンズは、それぞれが独立したものであっても、隣り合うもの同士がつながったものであってもよい。
【００３１】
≪装飾層設置工程≫
装飾層設置工程においては、マイクロレンズ層１１を平面視した際にマイクロレンズ層１１と装飾層１２とが重なり合うように、装飾層１２を配置する。そして、装飾層１２が備える繰り返し模様１２１の前記構成単位は、マイクロレンズ１１１と同種の配置を、装飾層１２の面内の所定方向に圧縮または延伸した配置を有するものである。
【００３２】
これにより、製造される時計用文字板１において、光の干渉（モアレ）を視覚的に使用し、立体感に溢れる外観を呈する時計用文字板を提供することができること、特に、観察者の錯覚を利用するにより、時計用文字板１の厚みを、現実の厚み以上のものとして、観察者に認識させることができる。また、本工程において、マイクロレンズ層１１と装飾層１２との相対的な角度を調整することにより、異なる外観を呈する複数種の時計用文字板１を効率よく製造することができる。
【００３３】
繰り返し模様１２１の構成単位は、マイクロレンズ１１１と同種の配置を、装飾層１２の面内の所定方向に圧縮または延伸した配置を有するものであればよいが、例えば、図２に示すように、マイクロレンズ基板１１において隣り合うマイクロレンズ１１１の中心を直線で結んだ場合に当該直線によって複数個の正三角形が規則的に配置されたものとなるようにマイクロレンズ１１１が配置されている場合には、装飾層１２は、図４に示すように、隣り合う繰り返し模様１２１の中心を直線で結んだ場合に、当該直線によって複数個の正三角形ではない二等辺三角形が規則的に配置されたものとすることができる。言い換えると、図４に示された二等辺三角形の配置は、図２の横方向に正三角形の配置を圧縮したもの、または、図２の縦方向に正三角形の配置を延伸したものである。これにより、時計用文字板１の美的外観を特に優れたものとすることができる。また、マイクロレンズ層１１と装飾層１２との相対的な角度の調整により、時計用文字板１の外観の調整を、より好適に行うことができる。
【００３４】
また、例えば、図３に示すように、マイクロレンズ基板１１において隣り合うマイクロレンズ１１１の中心を直線で結んだ場合に当該直線によって複数個の正方形が規則的に配置されたものとなるようにマイクロレンズ１１１が配置されている場合には、装飾層１２は、図５に示すように、隣り合う繰り返し模様１２１の中心を直線で結んだ場合に、当該直線によって複数個の正方形ではない長方形が規則的に配置されたものとすることができる。言い換えると、図５に示された長方形の配置は、図３の横方向に正方形の配置を圧縮したもの、または、図３の縦方向に正方形の配置を延伸したものである。これにより、時計用文字板１の美的外観を特に優れたものとすることができる。また、マイクロレンズ層１１と装飾層１２との相対的な角度の調整により、時計用文字板１の外観の調整を、より好適に行うことができる。
【００３５】
繰り返し模様１２１の構成単位について、マイクロレンズ１１１に対する所定方向への延伸率は、−１０％以上＋１０％以下であるのが好ましく、−５％以上＋５％以下であるのがより好ましい。これにより、時計用文字板１の美的外観を特に優れたものとすることができる。また、マイクロレンズ層１１と装飾層１２との相対的な角度の調整により、時計用文字板１の外観の調整を、より好適に行うことができる。なお、上記の延伸率が負の値の場合、繰り返し模様１２１の構成単位が、マイクロレンズ１１１と同種の配置を、装飾層１２の面内の所定方向に圧縮した配置を有するものであることを示し、上記の延伸率が正の値の場合、繰り返し模様１２１の構成単位が、マイクロレンズ１１１と同種の配置を、装飾層１２の面内の所定方向に延伸した配置を有するものであることを示す。
【００３６】
前記面内の所定方向は、装飾層１２の面内の方向であれば特に限定されないが、マイクロレンズ基板１１において隣り合うマイクロレンズ１１１の中心を直線で結んだ場合に当該直線によって複数個の多角形が規則的に配置されたものである場合、当該多角形を構成する少なくとも一つの辺に、平行または垂直な方向であるのが好ましい。これにより、時計用文字板１の美的外観を特に優れたものとすることができる。また、マイクロレンズ層１１と装飾層１２との相対的な角度の調整により、時計用文字板１の外観の調整を、より好適に行うことができる。
【００３７】
マイクロレンズ層と装飾層との相対的な角度の調整による時計用文字板の外観の調整をについて、以下、具体例を挙げて詳細に説明する。
以下の説明では、図３に示すように、マイクロレンズ基板１１において隣り合うマイクロレンズ１１１の中心を直線で結んだ場合に当該直線によって複数個の正方形が規則的に配置されたものとなるようにマイクロレンズ１１１が配置されており、かつ、図５に示すように、装飾層１２において隣り合う繰り返し模様１２１の中心を直線で結んだ場合に、当該直線によって複数個の正方形ではない長方形が規則的に配置されたものとなるように繰り返し模様１２１が配置されている場合について代表的に説明する。
【００３８】
図６〜図８は、マイクロレンズ層を構成するマイクロレンズと装飾層を構成する繰り返し模様との相対的な角度を説明するための平面図であり、特に、図６は、マイクロレンズの配置において現れる前記正方形の二辺と装飾層の繰り返し模様の配置において現れる前記長方形の長辺とが平行となるようにマイクロレンズ層と装飾層との相対的な角度の調整した状態を示し、図７は、マイクロレンズの配置において現れる前記正方形の二辺と装飾層の繰り返し模様の配置において現れる前記長方形の長辺とのなす角が６°となるようにマイクロレンズ層と装飾層との相対的な角度の調整した状態、すなわち、図６に示す状態と比較して、装飾層を右回り（時計方向）に６°回転させるようにした状態を示し、図８は、マイクロレンズの配置において現れる前記正方形の二辺と装飾層の繰り返し模様の配置において現れる前記長方形の長辺とのなす角が３８°となるようにマイクロレンズ層と装飾層との相対的な角度の調整した状態、すなわち、図６に示す状態と比較して、装飾層を右回り（時計方向）に３８°回転させるようにした状態を示すものである。
【００３９】
そして、図９〜図１１は、マイクロレンズ層を構成するマイクロレンズと装飾層を構成する繰り返し模様との相対的な角度の調整による時計用文字板の外観の変化を示すための時計用文字板の外観を示す平面図であり、特に、図９は、図６のような配置とした場合の時計用文字板の外観を示す平面図であり、図１０は、図７のような配置とした場合の時計用文字板の外観を示す平面図であり、図１１は、図８のような配置とした場合の時計用文字板の外観を示す平面図である。なお、図９〜図１１は、前記正方形の一辺の長さが１８０μｍ、前記長方形の長辺の長さが１８４μｍ、前記長方形の短辺の長さが１８１μｍである場合の外観を模式的に示したものである。
【００４０】
図６に示すように、前記正方形の二辺と前記長方形の長辺とが平行となるように、マイクロレンズ層と装飾層との相対的な角度の調整した場合、時計用文字板の外観は、図９に示すように、互いに平行な複数の線状または楕円形状（長円形状）の模様を呈するものとなる。これに対し、図７に示すように、図６に示す状態と比較して、装飾層を右回り（時計方向）に６°回転させるようにした場合、時計用文字板の外観は、図１０に示すように、複数個のスポット状の模様を呈するものとなり、また、図８に示すように、図６に示す状態と比較して、装飾層を右回り（時計方向）に３８°回転させるようにした場合、時計用文字板の外観は、図１１に示すように、交差する複数の線状または楕円形状（長円形状）の模様を呈するものとなる。このように、本発明では、マイクロレンズ層と装飾層との相対的な角度の調整をするのみで、外観が大きく異なる多数種の時計用文字板を得ることができる。
【００４１】
装飾層の設置の方法は、特に限定されず、例えば、基板上に繰り返し模様を設けた装飾層（装飾板）を、マイクロレンズ層と重ね合わせることにより行うものであってもよい。また、装飾層１２は、マイクロレンズ層１１のレンズ面１１１１の反対側の面１１１２側に、スクリーン印刷法、グラビア印刷法、タコ印刷法、インクジェット法等の印刷法等により直接形成されるものであってもよい。これにより、マイクロレンズ層１１と装飾層１２との相対的な角度の調整を、容易かつ確実に行うことができ、所望の外観を呈する時計用文字板１をより容易かつ確実に製造することができる。また、印刷法を採用することにより、マイクロレンズ層（マイクロレンズ基板）１１と装飾層１２とをより確実に密着させることができ、その結果、より確実に、マイクロレンズ１１１と繰り返し模様１２１との距離を一定に保つことができ、時計用文字板１の外観を安定的に優れたものとすることができる。
【００４２】
各種印刷法の中でも、インクジェット法が特に好ましい。インクジェット法を適用することにより、上述した効果がより顕著に発揮されるとともに、微細な繰り返し模様であっても、好適に形成することができる。
また、基板上に形成された膜に対してエッチング処理を施し、残存した部分を、繰り返し模様としてもよい。
【００４３】
繰り返し模様１２１の構成単位のピッチ（時計用文字板１を平面視した際のピッチ）ＰＲは、４０μｍ以上５５０μｍ以下であるのが好ましく、５０μｍ以上３５０μｍ以下であるのがより好ましい。これにより、時計用文字板１の美的外観を特に優れたものとすることができる。また、マイクロレンズ層１１と装飾層１２との相対的な角度の調整により、時計用文字板１の外観の調整を、より好適に行うことができる。なお、各方向で、隣り合う繰り返し模様１２１間のピッチが異なる場合、少なくとも一方向でのピッチが上記の条件を満足するのが好ましく、全ての方向についてのピッチが上記の条件を満足するのがより好ましい。
【００４４】
マイクロレンズ１１１のピッチをＰＭＬ［μｍ］、繰り返し模様１２１の構成単位のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用文字板１の外観をより立体感に溢れるものとすることができ、時計用文字板１の美的外観を特に優れたものとすることができる。また、マイクロレンズ層１１と装飾層１２との相対的な角度の調整により、時計用文字板１の外観の調整を、より好適に行うことができる。
【００４５】
なお、繰り返し模様１２１のピッチの方がマイクロレンズ１１１のピッチよりも小さい場合には模様が沈んで見え、一方、繰り返し模様１２１のピッチの方がマイクロレンズ１１１のピッチよりも大きい場合には模様が浮かんで見える。
繰り返し模様１２１の構成単位は、図示の構成では円形状をなすものであるが、いかなる形状のものであってもよく、例えば、多角形状、楕円形状、星型形状、アルファベット等の文字のほか、漫画のキャラクター等のより複雑な形状をなすものであってもよい。
【００４６】
繰り返し模様１２１は、いかなる材料で構成されたものであってもよく、例えば、各種顔料、各種染料等の着色剤や、金属材料を含む材料で構成されたものであってもよい。また、繰り返し模様１２１は、樹脂材料を含む材料で構成されたものであってもよい。これにより、繰り返し模様１２１のマイクロレンズ層１１に対する密着性を特に優れたものとすることができる。
【００４７】
マイクロレンズ１１１のレンズ面１１１１から後述する装飾層１２の表面（図２中の上側の面）までの距離は、１００μｍ以上１０００μｍ以下であるのが好ましく、１５０μｍ以上５００μｍ以下であるのがより好ましい。これにより、時計用文字板１の外観をより立体感に溢れるものとすることができ、時計用文字板１の美的外観を特に優れたものとすることができる。また、マイクロレンズ層１１と装飾層１２との相対的な角度の調整により、時計用文字板１の外観の調整を、より好適に行うことができる。
【００４８】
特に、図２に示すように、時計用文字板１を平面視した際の隣り合うマイクロレンズ１１１の中心を直線で結んだ場合に、当該直線によって複数個の三角形が規則的に配置されたものとなるように、複数個のマイクロレンズ１１１が配置されている場合、マイクロレンズ１１１のレンズ面１１１１から装飾層１２の表面（図２中の上側の面）までの距離は、１５０μｍ以上５００μｍ以下であるのが好ましく、１５０μｍ以上３００μｍ以下であるのがより好ましい。これにより、時計用文字板１の外観をより立体感に溢れるものとすることができ、時計用文字板１の美的外観を特に優れたものとすることができる。また、マイクロレンズ層１１と装飾層１２との相対的な角度の調整により、時計用文字板１の外観の調整を、より好適に行うことができる。
【００４９】
また、図３に示すように、時計用文字板１を平面視した際の隣り合うマイクロレンズ１１１の中心を直線で結んだ場合に、当該直線によって複数個の四角形が規則的に配置されたものとなるように、複数個のマイクロレンズ１１１が配置されている場合、マイクロレンズ１１１のレンズ面１１１１から装飾層１２の表面（図２中の上側の面）までの距離は、１００μｍ以上１０００μｍ以下であるのが好ましく、２５０μｍ以上６００μｍ以下であるのがより好ましい。これにより、時計用文字板１の外観をより立体感に溢れるものとすることができ、時計用文字板１の美的外観を特に優れたものとすることができる。また、マイクロレンズ層１１と装飾層１２との相対的な角度の調整により、時計用文字板１の外観の調整を、より好適に行うことができる。
【００５０】
マイクロレンズ１１１の焦点距離をＬ０［μｍ］、マイクロレンズ１１１のレンズ面１１１１から装飾層１２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計用文字板１の外観をより立体感に溢れるものとすることができ、時計用文字板１の美的外観を特に優れたものとすることができる。また、マイクロレンズ層１１と装飾層１２との相対的な角度の調整により、時計用文字板１の外観の調整を、より好適に行うことができる。
【００５１】
時計用文字板１を平面視した際に、時字が設けられていない部分の少なくとも一部に、繰り返し模様１２１およびマイクロレンズ１１１が設けられており、時字が設けられている部分には、繰り返し模様１２１および／またはマイクロレンズ１１１が設けられていないものであるのが好ましい。これにより、時刻の視認性を特に優れたものとしつつ、時計用文字板１の外観を特に優れたものとすることができ、実用品としての実用性と、装飾品としての美的外観とを、より高いレベルで両立することができる。
【００５２】
＜時計用文字板＞
本発明の時計用文字板は、上述したような方法を用いて製造されたものである。このような時計用文字板は、立体感に溢れる外観を呈するものである。
時計用文字板は、マイクロレンズ層が装飾層よりも観察者側（外表面側）に配されるようにして用いられるものである。
【００５３】
本発明の時計用文字板は、携帯時計（例えば、腕時計）に適用されるものであるのが好ましい。携帯時計は、各種時計の中でも、特に、薄型化が要求されるものであるが、本発明によれば、時計用文字板の厚さを十分に薄いものとしつつ、時計用文字板の立体感を十分に優れたものとすることができる。すなわち、本発明の時計用文字板が携帯時計に適用された場合、本発明の効果がより顕著に発揮される。
【００５４】
＜時計＞
次に、上述したような本発明の時計用文字板を備えた本発明の時計について説明する。
本発明の時計は、上述したような本発明の時計用文字板を有するものである。上述したように、本発明の時計用文字板は、立体感に溢れる外観を呈するものであり、特に、観察者の錯覚を利用するにより、時計用文字板の厚みを、現実の厚み以上のものとして、観察者に認識させることができるものであり、装飾性（美的外観）に優れたものである。また、装飾層１２等の材料の選択等により、上記のような優れた外観を確保しつつ、時計用文字板１全体としての光透過性を優れたものとすることができる。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００５５】
図１２は、本発明の時計（腕時計）の好適な実施形態を示す断面図である。
図１２に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、マイクロレンズ層１１が、ガラス板（カバーガラス）８５側を向くように配置されている。
【００５６】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図１２中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００５７】
また、ムーブメント８１は、図示しない電波受信用のアンテナを備えている。そして、受信した電波を用いて時刻調整等を行う機能を有している。
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５８】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００５９】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００６０】
上記のような携帯時計（腕時計）は、各種時計の中でも特に、薄型化が求められるものであるため、時計用文字板の薄型化と優れた美的外観との両立を図ることができる本発明をより好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
以上、本発明の好適な実施形態について説明したが、本発明は上記のようなものに限定されるものではない。
【００６１】
例えば、本発明の時計用文字板の製造方法は、上述した工程に加えて、他の工程を有するものであってもよい。
また、本発明において、マイクロレンズ層におけるマイクロレンズの配置パターンと、装飾層における繰り返し模様の配置パターンとの組み合わせは、前述した実施形態で例示したものに限定されるものではない。
【００６２】
また、本発明の時計用文字板、時計では、各部の構成は、同様の機能を発揮する任意の構成のものに置換することができ、また、任意の構成を付加することもできる。例えば、マイクロレンズ層および／または装飾層の表面には、少なくとも１つの層が設けられていてもよい。このような層は、例えば、時計用文字板の使用時等において除去されるものであってもよい。
【００６３】
また、前述した実施形態では、マイクロレンズ層には、同一のパターンでマイクロレンズが設けられている場合について代表的に説明したが、マイクロレンズ層は、マイクロレンズの配置パターンの異なる複数の領域を有するものであってもよい。同様に、装飾層には、同一のパターンで繰り返し模様が設けられている場合について代表的に説明したが、装飾層は、繰り返し模様の配置パターンの異なる複数の領域を有するものであってもよい。また、装飾層は、繰り返し模様の構成単位の形状が異なる複数の領域を有するものであってもよい。また、隣り合うマイクロレンズのピッチ、配置等は連続的に変化するものであってもよい。また同様に、繰り返し模様の構成単位のピッチ、配置等は連続的に変化するものであってもよい。
【００６４】
また、前述した実施形態では、時計用文字板を平面視した際に、時字が設けられている部分には、繰り返し模様および／またはマイクロレンズが設けられていない場合について中心的に説明したが時計用文字板を平面視した際に、時字が設けられている部分に、繰り返し模様およびマイクロレンズが設けられていてもよい。
また、前述した実施形態では、マイクロレンズ層が、マイクロレンズとして凸レンズを備えるものである場合について代表的に説明したが、マイクロレンズは、装飾層の設けられた面側で焦点を結ぶものであればよく、凹レンズであってもよい。
また、前述した実施形態では、マイクロレンズを備えるマイクロレンズ層と、繰り返し模様を備える装飾層とが、密着した構成である場合について代表的に説明したが、マイクロレンズ層と装飾層とは、密着していなくてもよい。
【符号の説明】
【００６５】
１…時計用文字板  １１…マイクロレンズ層（マイクロレンズ基板）  １１１…マイクロレンズ  １１１１…レンズ面  １１１２…面  １２…装飾層  １２１…繰り返し模様  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池  １００…腕時計（携帯時計）  ＰＭＬ…ピッチ  ＰＲ…ピッチ  Ｐ…焦点
【図１】
0005982755.tif 000002
【図２】
0005982755.tif 000003
【図３】
0005982755.tif 000004
【図４】
0005982755.tif 000005
【図５】
0005982755.tif 000006
【図６】
0005982755.tif 000007
【図７】
0005982755.tif 000008
【図８】
0005982755.tif 000009
【図９】
0005982755.tif 000010
【図１０】
0005982755.tif 000011
【図１１】
0005982755.tif 000012
【図１２】
0005982755.tif 000013